(57)【要約】【課題】スピーカーボックス容積の十分な確保による音響性能と、要部へのティビア保護パッド配設による衝撃吸収緩和及び前方変位抑制を満足させる乗員保護性能とを高い水準で両立させることができる助手席キックボードへのスピーカー配設構造を提供することを目的とする。【解決手段】助手席キックボード４上に設けられて重低音を再生するスピーカーボックス２０と、該スピーカーボックス２０の後方に設けられるティビア保護パッド３０とを備え、スピーカーボックス２０の後部には、車幅方向に亘って段下げ形成される段下げ部２１ｄを上面とする後方延設部２１ｃが設けられており、ティビア保護パッド３０の前部下面３０ａが段下げ部２１ｄと対面すると共に、上面３０ｂがスピーカーボックス２０の前部上面２１ｂと面一に設けられる。【選択図】図６
2015185970.tif 000002
【特許請求の範囲】
【請求項１】
エンジンルームと車室とを車両前後方向に仕切るダッシュパネルの助手席側において、前記ダッシュパネルとフロアパネルとの間に位置する助手席キックボードへのスピーカー配設構造であって、
前記助手席キックボード上に設けられて重低音を再生するスピーカーボックスと、
該スピーカーボックスの後方に設けられるティビア保護パッドとを備え、
前記スピーカーボックスの後部には、車幅方向に亘って段下げ形成される段下げ部を上面とする後方延設部が設けられており、
前記ティビア保護パッドの前部は、下面が前記段下げ部と対面すると共に、
上面が前記スピーカーボックスの前部上面と面一に設けられる
助手席キックボードへのスピーカー配設構造。
【請求項２】
前記スピーカーボックスの前部上面と前記段下げ部の前壁部とが、鈍角を成して形成される
請求項１記載の助手席キックボードへのスピーカー配設構造。
【請求項３】
前記段下げ部の前壁部が、略鉛直方向に設けられる
請求項１または２記載の助手席キックボードへのスピーカー配設構造。
【請求項４】
前記段下げ部には、前記ティビア保護パッドが固定される凸設部が設けられており、
該凸設部は、前記ティビア保護パッドの裏面に設けられる凹設部と係合する
請求項１〜３のいずれか一項に記載の助手席キックボードへのスピーカー配設構造。
【請求項５】
前記スピーカーボックスの前部は、車両前方に向けて前記ダッシュパネルに締結固定されており、
前記スピーカーボックスの後部は、前記ティビア保護パッドの固定部よりも車両後方において、下方に向けて前記フロアパネルに締結固定される
請求項１〜４のいずれか一項に記載の助手席キックボードへのスピーカー配設構造。
【発明の詳細な説明】
【技術分野】
【０００１】
この発明は、エンジンルームと車室とを車両前後方向に仕切るダッシュパネルの助手席側において、前記ダッシュパネルとフロアパネルとの間に位置する助手席キックボードへのスピーカー配設構造に関する。
【背景技術】
【０００２】
従来、車両用の音響システムにおいて、ウーファーのような重低音の再生を目的としたスピーカーボックスを設ける場合には、低音を増強する空間をボックス内に必要とするため、コンパクトに設けることが難しく、荷室などの限られた場所に設けられることが多い。
【０００３】
しかしながら、上述したように荷室にスピーカーボックスを設けると、車室と隔壁されている場合も多いため、スピーカーボックスで再生された音を乗員に好適に伝える事が難しく、また過度に音量を大きくすると車外への音漏れが大きくなる虞があった。そこで、乗員が適切な音量の臨場感、音像定位感を得ることができるように、乗員により近いセンターコンソールの前方下部にスピーカーボックスを形成し、運転席の足元又は助手席の足元から重低音を再生するものとして下記特許文献１が開示されている。
【０００４】
しかしながら、ウーファーのようなスピーカーボックスは、同一車種の中でも装備仕様に有無が存在することが多く、スピーカーボックスを複雑な構造で設けると、周辺部品までスピーカーボックスの有無に対応させた部品を設ける必要があり、部品の種類数が大きく増大する虞がある。また、４輪駆動や後輪駆動の仕様を有する場合においては、センタートンネルの下方を前後に延びるプロペラシャフトが設けられるため、センタートンネルが高く設けられて、スピーカーボックスの十分な配設スペースを確保することは困難となる。
【０００５】
そこで、下記特許文献２のように、車両前突時に乗員の踵に対する衝撃を吸収緩和したり、踵の前方変位を抑制したりすることによって乗員保護機能を果たすティビア保護パッドで全面が覆われた助手席キックボード上に、新たにスピーカーボックスを配設することが考えられる。
【０００６】
しかしながら、キックボード上にスピーカーボックスを配設し、更にスピーカーボックス上にティビア保護パッドを設けると、低音を増強するためのスピーカーボックスの容積または乗員の足元スペースが縮小してしまう。その一方で、スピーカーボックスとティビア保護パッドを前後に仕切って設けると、ティビア保護パッドの厚さが前後で大きく異なるため、ティビア保護パッドの乗員保護性能を満足に使い切っていない部位が生じてしまう。
【先行技術文献】
【特許文献】
【０００７】
【特許文献１】特開２０１０−２１５０７４号公報
【特許文献２】特開２００５−１４５２２２号公報
【発明の概要】
【発明が解決しようとする課題】
【０００８】
この発明は、スピーカーボックス容積の十分な確保による音響性能と、要部へのティビア保護パッド配設による衝撃吸収緩和及び前方変位抑制を満足させる乗員保護性能とを高い水準で両立させることができる助手席キックボードへのスピーカー配設構造を提供することを目的とする。
【課題を解決するための手段】
【０００９】
この発明の助手席キックボードへのスピーカー配設構造は、エンジンルームと車室とを車両前後方向に仕切るダッシュパネルの助手席側において、前記ダッシュパネルとフロアパネルとの間に位置する助手席キックボードへのスピーカー配設構造であって、前記助手席キックボード上に設けられて重低音を再生するスピーカーボックスと、該スピーカーボックスの後方に設けられるティビア保護パッドとを備え、前記スピーカーボックスの後部には、車幅方向に亘って段下げ形成される段下げ部を上面とする後方延設部が設けられており、前記ティビア保護パッドの前部は、下面が前記段下げ部と対面すると共に、上面が前記スピーカーボックスの前部上面と面一に設けられるものである。
【００１０】
この構成によれば、段下げ部の下方にスピーカーボックスの後方延出部、上方にティビア保護パッドの前部を配置することで、ティビア保護パッドの厚さを、乗員保護性能を満足に使い切る厚さに設定して段下げ部まで前上方に延設することができると共に、スピーカーボックスの容積を最大限拡大して設けることができる。このため、スピーカーボックスの容積の十分な確保による音響性能と、要部へのティビア保護パッドの配設による衝撃吸収緩和及び前方変位抑制を満足させる乗員保護性能とを高い水準で両立させることができる。
【００１１】
この発明の一実施態様においては、前記スピーカーボックスの前部上面と前記段下げ部の前壁部とが、鈍角を成して形成されるものである。
【００１２】
この構成によれば、スピーカーボックスの前部上面と段下げ部とが成す角度が鋭角を成して形成される場合に比べ、スピーカーボックスに形成された角部によって車両前突時に乗員の足裏に対して荷重が集中することを防止できる。これにより、乗員保護性能を向上させることができる。
【００１３】
この発明の一実施態様においては、前記段下げ部の前壁部が、略鉛直方向に設けられるものである。
【００１４】
この構成によれば、車両前突時におけるティビア保護パッドの前方変位を前壁部によって抑制することができる。これにより、乗員保護性能を向上させることができる。
【００１５】
この発明の一実施態様においては、前記段下げ部には、前記ティビア保護パッドが固定される凸設部が設けられており、該凸設部は、前記ティビア保護パッドの裏面に設けられる凹設部と係合するものである。
【００１６】
この構成によれば、スピーカーボックスの凸設部とティビア保護パッドの凹設部との係合により、車両前突時におけるティビア保護パッドの前方変位を抑制することができる。これにより、乗員保護性能を向上させることができる。また、前記係合により、ティビア保護パッドの組付け時においてその位置決めを行うことができると共に、通常時におけるスピーカーボックスとの相対移動を抑制することもできる。
【００１７】
この発明の一実施態様においては、前記スピーカーボックスの前部は、車両前方に向けて前記ダッシュパネルに締結固定されており、前記スピーカーボックスの後部は、前記ティビア保護パッドの固定部よりも車両後方において、下方に向けて前記フロアパネルに締結固定されるものである。
【００１８】
この構成によれば、スピーカーボックスの前部と後部とで、締結固定される方向が略垂直方向に異なることで、重低音の再生による振動に対しても締結固定が緩みにくく、異音の発生防止や、車両前突時における車体への固定を確実に行うことができる。
【００１９】
また、スピーカーボックスの後部が、ティビア保護パッドの固定部よりも車両後方でフロアパネルに締結固定されることで、車両前突時には、ティビア保護パッドに入力された荷重の一部をスピーカーボックスの後部を介して車体（フロアパネル）に伝達させることができる。これにより、前記荷重を分散して車体に伝達することができる。
【００２０】
なお、本発明において、スピーカーボックスの前部がダッシュパネルに締結固定される、及びスピーカーボックスの後部がフロアパネルに締結固定されるとは、スピーカーボックスの前部、後部がダッシュパネル、フロアパネルに直接的に締結固定される場合のみならず、例えば、他の車載部品を車体に取付けるためのブラケット等を介して締結固定される場合も含むものとする。
【発明の効果】
【００２１】
この発明によれば、スピーカーボックス容積の十分な確保による音響性能と、要部へのティビア保護パッド配設による衝撃吸収緩和及び前方変位抑制を満足させる乗員保護性能とを高い水準で両立させることができる助手席キックボードへのスピーカー配設構造を提供することができる。
【図面の簡単な説明】
【００２２】
【図１】本発明の実施形態に係る車両前部の助手席側を示す斜視図。
【図２】車両前部におけるスピーカーボックス、ティビア保護パッド、及びドレーンアセンブリの配置を示す斜視図。
【図３】車両前部の助手席側を車両後方から見た正面図。
【図４】車両前部の助手席側を示す平面図。
【図５】図４のＡ−Ａ線矢視断面相当の図。
【図６】図４のＢ−Ｂ線矢視断面相当の図。
【図７】図４のＣ−Ｃ線矢視断面相当の図。
【図８】スピーカーボックスを示す斜視図。
【図９】ティビア保護パッドを示す斜視図。
【図１０】ドレーンアッセンブリを示す斜視図。
【発明を実施するための形態】
【００２３】
以下、図面に基づいて本発明の実施形態を詳述する。  
本実施形態に係る車両は、スポーツカーであり、図１〜図７に示すように、本実施形態に係る車両の前部では、エンジンルーム１と車室２とを車幅方向に仕切るダッシュパネル３が車幅方向に延設されると共に、該ダッシュパネル３の下端部から車両後方かつ下方に傾斜して延びるキックボード４と、車室２のフロア面を構成するフロアパネル５とが配設されている。なお、図１〜図４では、便宜上助手席側（車幅方向左側）のキックボード４のみを示している。
【００２４】
また、ダッシュパネル３の車幅方向中央部からは、車室２に向かって上方に膨出するセンタートンネル６が車両後方に向かって延設されている。そして、ダッシュパネル３、センタートンネル６には、それぞれ断面ハット状をなすダッシュクロスメンバ７ａ及びトンネルレインフォースメント７ｂが接合されている。
【００２５】
上述したダッシュクロスメンバ７ａ及びトンネルレインフォースメント７ｂは、一体成形されており、ダッシュクロスメンバ７ａは、ダッシュパネル３とで閉断面８ａ（図５〜図７参照）を形成する一方、トンネルレインフォースメント７ｂは、センタートンネル６とで閉断面８ｂ（図３参照）を形成している。そして、ダッシュクロスメンバ７ａは、車両正面視でダッシュパネル３に車室２内側壁面の中央上部から側方下部にかけて傾斜するように延設される一方、トンネルレインフォースメント７ｂは、センタートンネル６の頂部の上面に沿って車両前後方向に延設されている。
【００２６】
また、キックボード４からフロアパネル５に亘って、車室２側の面上には、図２〜図７に示すように、断面ハット状のフロアフレーム９が延設されている。このフロアフレーム９は、エンジンルーム１の車幅方向両端部において車両前後方向に延設されるフロントサイドフレーム（図示せず）と略連続するように配設される。
【００２７】
ダッシュパネル３の車両後方には、図１に示すように、車室２用の空調ユニット１０が配設されている。空調ユニット１０は、ブロアや冷却用及び加熱用熱交換器を収容するケース１１と、助手席側に配設された外気導入口１２と、車幅方向中央部に配設されたデフロスター用の吹出口１３と、冷却用及び加熱用熱交換器で生成された空調風を車室２内に供給する空調風吹出口１４とを有している。
【００２８】
また、助手席側のキックボード４上には、図２〜図７に示すように、スピーカーボックス２０と、ティビア保護パッド３０とが配設されている。そして、スピーカーボックス２０の上方には、上述した空調ユニット１０が設けられ、ダッシュパネル３とスピーカーボックス２０との間には、空調ユニット１０とは別体とされるドレーンアセンブリ４０が設けられている。
【００２９】
さらに、スピーカーボックス２０及びティビア保護パッド３０の上方には、図１、図５〜図７に示すようなフロアマット５０が設けられており、スピーカーボックス２０やティビア保護パッド３０は、このフロアマット５０によって上方から覆われた状態になっている。
【００３０】
スピーカーボックス２０は、重低音を再生するものであり、一般的にはウーファーと呼ばれるものである。本実施形態では、このスピーカーボックス２０が、スピーカーを収容するボックス本体２１と、低音出力用のポート２２と、ダクト２３により構成されている。
【００３１】
ボックス本体２１では、その下面２１ａが、キックボード４の形状に略沿うように形成されている。また、ボックス本体２１の後部には、車両後方かつ下方に傾斜する前部上面２１ｂに対し車幅方向に亘って段下げ形成される段下げ部２１ｄを上面とする後方延出部２１ｃが設けられている。
【００３２】
スピーカーボックス２０では、図２及び図５〜図８に示すように、その前部上面２１ｂと段下げ部２１ｄの前壁部２１ｅが略鉛直方向に設けられ、前部上面２１ｂと段下げ部２１ｄの前壁部２１ｅとが成す角度θ（図５〜図７参照）が、鈍角を成して形成されている。
【００３３】
また、後方延出部２１ｃでは、その段下げ部２１ｄの車幅方向中央部において、平面視で略矩形状をなす凸設部２１ｆが一体成形により設けられており、その断面形状は、図６に示すように、側面視で略逆Ｌ字状をなしている。
【００３４】
また、ボックス本体２１の前部側面の車幅方向両端部には、締結片２１ｇ、２１ｈが上方に向かって立設されると共に、後方延出部２１ｃの後端の車幅方向中央部には、締結片２１ｉが車両後方に向かって延設されている。
【００３５】
締結片２１ｇは、図２〜図４に示すように、ダッシュクロスメンバ７ａに立設するスタットボルト６０とナット６１とにより、ダッシュクロスメンバ７ａを介してダッシュパネル３に締結固定される一方、締結片２１ｈは、ダッシュパネル３に取付けられた平面視略Ｌ字状のブラケット６２に立設するスタットボルト６３とナット６４とにより、ブラケット６２を介してダッシュパネル３に締結固定されている。そして、締結片２１ｉは、図２〜図４及び図６に示すように、ボルト６５とナット６６とにより、フロアフレーム９を介してフロアパネル５に締結固定されている。スピーカーボックス２０は、その前部がボックス本体２１の前部側面の締結片２１ｇ、２１ｈにより、前方に向けてダッシュパネル３に締結固定される一方、後部が後方延出部２１ｃの後端の締結片２１ｉにより、下方に向けてフロアパネル５に締結固定されている。
【００３６】
ポート２２は、車幅方向外側に向かって開口するように形成されており、ポート２２とボックス本体２１の内部とは、ボックス本体２１の前部側面に沿ってその前方を車幅方向に延設するダクト２３により連結されている。
【００３７】
ここで、スピーカーボックス２０の上方のフロアマット５０は、図７に示すように、ポート２２の車両後方位置において、上方に屈曲して設けられる立設部５０ａを前端部に有している。
【００３８】
ティビア保護パッド３０は、車両前突時に乗員の踵Ｈ（図６参照）に対する衝撃を吸収緩和したり、踵の前方変位を抑制したりすることによって乗員保護機能を果たすものであり、一般的には樹脂製とされ、本実施形態では、図２〜図７に示すようにスピーカーボックス２０の車両後方に設けられている。
【００３９】
ティビア保護パッド３０の前部は、図２、図５〜図７、及び図９に示すように、スピーカーボックス２０のボックス本体２１に形成された段下げ部２１ｄに対応する形状をなしており、ティビア保護パッド３０がスピーカーボックス２０の車両後方に設けられた状態では、前部下面（裏面）３０ａが段下げ部２１ｄと対面すると共に、上面３０ｂがボックス本体２１の前部上面２１ｂと面一になるように設けられている。
【００４０】
また、ティビア保護パッド３０の前部下面３０ａには、図６に示すように、ボックス本体２１の凸設部２１ｆに対応して上方に凹む第１凹設部３０ｃが形成されている。そして、凸設部２１ｆと第１凹設部３０ｃとは互いに係合しており、この係合により、車両前突時には、ティビア保護パッド３０の前方変位を抑制することができるようになっている。
【００４１】
また、ティビア保護パッド３０は、図２〜図４及び図６に示すように、凸設部２１ｆと第１凹設部３０ｃとが係合した状態でクリップ６７により凸設部２１ｆに固定されている。そして、クリップ６７による固定部より車両後方には、車両前方に向かって凹む第２凹設部３０ｄが形成され、この第２凹設部３０ｄには、ボックス本体２１（後方延出部２１ｃ）の締結片２１ｉが配置されている。本実施形態では、スピーカーボックス２０の後部が、ティビア保護パッド３０の固定部（クリップ６７による固定部）よりも車両後方において、フロアフレーム９（フロアパネル５）に締結固定されている。
【００４２】
ドレーンアセンブリ４０は、図２〜図６及び図１０に示すように、ドレーンホース４１と、該ドレーンホース４１の両端に取付けられた接続部４２、４３とにより構成されており、ブラケット部６８を介してダッシュパネル３（車体）に締結固定されている。
【００４３】
ここで、ダッシュパネル３には、図５に示すように、スピーカーボックス２０を構成するボックス本体２１の前部側面の車両前方において、ドレーンホース４１を車室２外に案内するための排水孔３ａが設けられており、各接続部４２、４３は、それぞれ図５、図６に示すように空調ユニット１０（ケース１１）、排水孔３ａに接続されている。これにより、空調ユニット１０の作動時に発生する結露水は、ドレーンホース４１及び排水孔３ａを介して車室２外に排出されるようになっている。
【００４４】
また、本実施形態では、スピーカーボックス２０のポート２２が、排水孔３ａが設けられる側に開口しており、ポート２２と排水孔３ａとは、車幅方向に並設されている。そして、ポート２２は、排水孔３ａよりも車幅方向内側において、図２〜図７に示すように、ダッシュクロスメンバ７ａの下方に位置するように設けられている。
【００４５】
ブラケット部６８は、図２〜図６及び図１０に示すように、接続部４２が取付けられた座部６８ａと、左右一対の基部６８ｂ、６８ｂと、座部６８ａの左右両端部と基部６８ｂとを接続する脚部６８ｃとを有しており、基部６８ｂ、６８ｂが、ダッシュパネル３に立設するスタットボルト６９とナット７０とにより、ダッシュパネル３に締結固定されている。
【００４６】
また、ブラケット部６８の脚部６８ｃには、孔部６８ｄが形成されており、この孔部６８ｄは、図５、図６に示すように、車両側面視において、ポート２２と少なくとも部分的に重複する位置に配置されている。
【００４７】
ところで、空調ユニット１０のケース１１には、図１、図６に示すように、その助手席側の下部において締結片１５が設けられている。上述したブラケット部６８の座部６８ａには、スタットボルト７１が立設されており、上述した締結片１５は、スタットボルト７１とナット７２とにより、ブラケット部６８を介してダッシュパネル３に締結固定されている。
【００４８】
ここで、空調ユニット１０、スピーカーボックス２０、ティビア保護パッド３０、ドレーンアセンブリ４０を車体に組付ける際には、先ず、ドレーンアセンブリ４０（ブラケット部６８）をダッシュパネル３に組付けてから、スピーカーボックス２０及びティビア保護パッド３０を組付け、最後に空調ユニット１０を組付ける。このため、本実施形態では、空調ユニット１０の組付け性を考慮して、スピーカーボックス２０のボックス本体２１には、締結片１５と座部６８ａとの締結部を避けるように、その前部上面２１ｂに凹設部２１ｊが形成されている。これにより、締結片１５と座部６８ａとの締結部とスピーカーボックス２０との干渉を回避ながら、スピーカーボックス２０の容量を確保することが可能になっている。
【００４９】
以上に示したように、本実施形態のキックボード４へのスピーカー配設構造は、エンジンルーム１と車室２とを車両前後方向に仕切るダッシュパネル３の助手席側において、ダッシュパネル３とフロアパネル５との間に位置するキックボード４へのスピーカー配設構造であって、キックボード４上に設けられて重低音を再生するスピーカーボックス２０と、該スピーカーボックス２０の後方に設けられるティビア保護パッド３０とを備え、スピーカーボックス２０の後部には、車幅方向に亘って段下げ形成される段下げ部２１ｄを上面とする後方延設部２１ｃが設けられており、ティビア保護パッド３０の前部は、前部下面３０ａが段下げ部２１ｄと対面するとともに、上面３０ｂがスピーカーボックス２０の前部上面２１ｂと面一に設けられている。
【００５０】
上述したキックボード４へのスピーカー配設構造によれば、段下げ部２１ｄの下方にスピーカーボックス２０の後方延出部２１ｃ、上方にティビア保護パッド３０の前部を配置することで、ティビア保護パッド３０の厚さを、乗員保護性能を満足に使い切る厚さに設定して段下げ部２１ｄまで前上方に延設することができると共に、スピーカーボックス２０の容積を最大限拡大して設けることができる。このため、スピーカーボックス２０の容積の十分な確保による音響性能と、要部へのティビア保護パッド３０の配設による衝撃吸収緩和及び前方変位抑制を満足させる乗員保護性能とを高い水準で両立させることができる。
【００５１】
また、本実施形態のキックボード４へのスピーカー配設構造では、スピーカーボックス２０の前部上面２１ｂと段下げ部２１ｄの前壁部２１ｅとが、鈍角を成して形成されている。
【００５２】
上述したキックボード４へのスピーカー配設構造によれば、前部上面２１ｂと段下げ部２１ｄとが成す角度θが鋭角を成して形成される場合に比べ、スピーカーボックス２０に形成された角部によって車両前突時に乗員の足裏に対して荷重が集中することを防止できる。これにより、乗員保護性能を向上させることができる。
【００５３】
また、本実施形態のキックボード４へのスピーカー配設構造では、段下げ部２１ｄの前壁部２１ｅが、略鉛直方向に設けられている。
【００５４】
上述したキックボード４へのスピーカー配設構造によれば、車両前突時におけるティビア保護パッド３０の前方変位を前壁部２１ｅによって抑制することができる。これにより、乗員保護性能を向上させることができる。
【００５５】
また、本実施形態のキックボード４へのスピーカー配設構造では、段下げ部２１ｄには、ティビア保護パッド３０が固定される凸設部２１ｆが設けられており、該凸設部２１ｆは、ティビア保護パッド３０の裏面に設けられる第１凹設部３０ｃと係合している。
【００５６】
上述したキックボード４へのスピーカー配設構造によれば、スピーカーボックス２０の凸設部２１ｆとティビア保護パッド３０の第１凹設部３０ｃとの係合により、車両前突時におけるティビア保護パッド３０の前方変位を抑制することができる。これにより、乗員保護性能を向上させることができる。また、前記係合により、ティビア保護パッド３０の組付け時においてその位置決めを行うことができると共に、通常時におけるスピーカーボックス２０との相対移動を抑制することもできる。
【００５７】
また、本実施形態のキックボード４へのスピーカー配設構造では、スピーカーボックス２０の前部は、車両前方に向けてダッシュパネル３に締結固定されており、スピーカーボックス２０の後部は、ティビア保護パッド３０の固定部（クリップ６７による固定部）よりも車両後方において、下方に向けてフロアパネル５に締結固定されている。
【００５８】
上述したキックボード４へのスピーカー配設構造によれば、スピーカーボックス２０の前部と後部とで、締結固定される方向が略垂直方向に異なることで、重低音の再生による振動に対しても締結固定が緩みにくく、異音の発生防止や、車両前突時における車体への固定を確実に行うことができる。
【００５９】
また、スピーカーボックス２０の後部が、ティビア保護パッド３０の固定部よりも車両後方でフロアパネル５に締結固定されることで、車両前突時には、ティビア保護パッド３０に入力された荷重の一部をスピーカーボックス２０の後部を介して車体（フロアパネル５）に伝達させることができる。これにより、前記荷重を分散して車体に伝達することができる。
【００６０】
なお、上述した実施形態では、スピーカーボックス２０、ティビア保護パッド３０にそれぞれ凸設部２１ｆ、第１凹設部３０ｃを設けて互いを係合させるようにしているが、本発明では、凸設部２１ｆ、第１凹設部３０ｃを設けることなく、単にスピーカーボックス２０にティビア保護パッド３０を固定するだけでもよい。
【００６１】
また、上述した実施形態では、スポーツカーに本発明を適用した場合について説明したが、必ずしもスポーツカーに限定されるものではない。
【符号の説明】
【００６２】
１…エンジンルーム
２…車室
３…ダッシュパネル
４…キックボード
５…フロアパネル
２０…スピーカーボックス
２１ｂ…前部上面
２１ｃ…後方延出部
２１ｄ…段下げ部
２１ｅ…前壁部
２１ｆ…凸設部
３０…ティビア保護パッド
３０ａ…前部下面
３０ｂ…上面
３０ｃ…第１凹設部
【図１】
2015185970.tif 000003
【図２】
2015185970.tif 000004
【図３】
2015185970.tif 000005
【図４】
2015185970.tif 000006
【図５】
2015185970.tif 000007
【図６】
2015185970.tif 000008
【図７】
2015185970.tif 000009
【図８】
2015185970.tif 000010
【図９】
2015185970.tif 000011
【図１０】
2015185970.tif 000012